(57)【要約】【課題】温水の不必要な熱損失を防止すると共に、換気装置の凍結を確実に防止することができる温調システムを提供する。【解決手段】第１、第２の床暖房パネル（３１，３２）と換気用熱交換器（４２）とは、水熱交換器（２１）に並列に接続されている。上記換気用熱交換器（４２）は、換気装置（４１）よりも吸入外気の上流側に、配置されている。【選択図】図１
2014119204.tif 000002
【特許請求の範囲】
【請求項１】
熱媒と循環液とを熱交換するための液熱交換器（２１）と、
この液熱交換器（２１）に接続された二次側熱交換端末（３１，３２）と、
吸入外気と排出室内空気との間で熱交換を行うことが可能であり、または、吸入外気から水分を取り除いて除湿運転を行うか排出室内空気から取り除いた水分を吸入外気に取り込んで加湿運転を行うことが可能である換気装置（４１，４１Ａ，４１Ｂ）と、
この換気装置（４１，４１Ａ，４１Ｂ）の凍結を防止することが可能な換気用熱交換器（４２）と
を備え、
上記二次側熱交換端末（３１，３２）と上記換気用熱交換器（４２）とは、上記液熱交換器（２１）に並列に接続されており、
上記換気用熱交換器（４２）は、上記換気装置（４１，４１Ａ，４１Ｂ）よりも吸入外気の上流側に、配置されていることを特徴とする温調システム。
【請求項２】
請求項１に記載の温調システムにおいて、
上記換気装置（４１，４１Ａ，４１Ｂ）の換気ファンが運転され、かつ、上記換気用熱交換器（４２）に供給される前の吸入外気の温度が、予め定められた設定値以下のときに、上記換気用熱交換器（４２）に循環液を供給するように制御する凍結防止制御部（５１）を備えることを特徴とする温調システム。
【請求項３】
請求項１または２に記載の温調システムにおいて、
上記換気用熱交換器（４２）に供給される前の吸入外気の温度に応じて、上記換気用熱交換器（４２）に供給される循環液の温度を変更する第１の液温変更部（５２）を備えることを特徴とする温調システム。
【請求項４】
請求項１から３の何れか一つに記載の温調システムにおいて、
上記換気用熱交換器（４２）で循環液と熱交換された後で、上記換気装置（４１，４１Ａ，４１Ｂ）で排出室内空気と熱交換される前の吸入外気の温度に応じて、上記換気用熱交換器（４２）に供給される循環液の温度を変更する第２の液温変更部（５３）を備えることを特徴とする温調システム。
【請求項５】
請求項１から４の何れか一つに記載の温調システムにおいて、
上記換気装置（４１Ａ）は、
吸入外気と排出室内空気との間で熱交換を行わない通常換気モード（Ｍ１）と、
吸入外気と排出室内空気との間で熱交換を行う熱交換換気モード（Ｍ２）と
を有し、
上記換気装置（４１Ａ）が上記通常換気モード（Ｍ１）であるとき、上記換気用熱交換器（４２）に循環液を供給しない一方、上記換気装置（４１Ａ）が上記熱交換換気モード（Ｍ２）であるとき、上記換気用熱交換器（４２）に循環液を供給するように制御する液供給切換部（５４）を備えることを特徴とする温調システム。
【請求項６】
請求項１から５の何れか一つに記載の温調システムにおいて、
上記換気装置（４１，４１Ａ，４１Ｂ）が凍結しないように、上記換気用熱交換器（４２）に供給される循環液を制御する凍結防止モードと、
上記換気装置（４１，４１Ａ，４１Ｂ）から室内へ吹き出される空気の温度が、上記凍結防止モードで上記換気装置（４１，４１Ａ，４１Ｂ）から室内へ吹き出される空気の温度よりも高くなるように、上記換気用熱交換器（４２）に供給される循環液を制御する暖房モードと
を選択できるモード選択部（５５）を備えることを特徴とする温調システム。
【請求項７】
請求項６に記載の温調システムにおいて、
上記暖房モードにおける、上記換気用熱交換器（４２）に供給される前の吸入外気の温度を判定するための第１の判定値を、上記凍結防止モードにおける、上記換気用熱交換器（４２）に供給される前の吸入外気の温度を判定するための第２の判定値よりも、大きく設定する外気温判定値設定部（５６）と、
上記暖房モードにおいて、上記換気用熱交換器（４２）に供給される前の吸入外気の温度が、上記第１の判定値以下のとき、または、上記凍結防止モードにおいて、上記換気用熱交換器（４２）に供給される前の吸入外気の温度が、上記第２の判定値以下のときに、上記換気用熱交換器（４２）に循環液を供給するように制御するモード別液供給制御部（５７）と
を備えることを特徴とする温調システム。
【請求項８】
請求項６に記載の温調システムにおいて、
上記暖房モードでの上記換気用熱交換器（４２）に供給される循環液の第１の温度を、上記凍結防止モードでの上記換気用熱交換器（４２）に供給される循環液の第２の温度よりも、大きく設定する液温設定部（５８）と、
上記暖房モードにおいて、上記換気用熱交換器（４２）に、上記第１の温度の循環液を供給し、または、上記凍結防止モードにおいて、上記換気用熱交換器（４２）に、上記第２の温度の循環液を供給するように制御するモード別液供給制御部（５９）と
を備えることを特徴とする温調システム。
【発明の詳細な説明】
【技術分野】
【０００１】
この発明は、温調システムに関する。
【背景技術】
【０００２】
従来、温調システムとしては、特開２００５−６９６１２号公報（特許文献１）に記載されたものがある。この温調システムは、熱媒と水とを熱交換するための水熱交換器と、この水熱交換器に接続されて水熱交換器から温水が供給される二次側熱交換端末と、この二次側熱交換端末に接続されて二次側熱交換端末を通過した温水が供給される換気用熱交換器と、吸入外気と排出室内空気との間で熱交換可能な換気装置とを備えている。上記換気用熱交換器は、上記換気装置よりも吸入外気の上流側に、配置されている。
【０００３】
そして、上記換気用熱交換器は、吸入外気を温水で加熱し、この加熱した吸入外気を換気装置に供給して、換気装置で吸入外気と排出室内空気との熱交換の際に生じる凍結を防止している。
【先行技術文献】
【特許文献】
【０００４】
【特許文献１】特開２００５−６９６１２号公報
【発明の概要】
【発明が解決しようとする課題】
【０００５】
ところで、上記従来の温調システムでは、上記水熱交換器と上記二次側熱交換端末と上記換気用熱交換器とは、順に、直列に接続されている。
【０００６】
これにより、上記二次側熱交換端末に温水を供給すると、上記換気用熱交換器に必ず温水が供給され、上記換気用熱交換器への温水の供給を停止できず、上記換気装置の凍結防止の運転のオフを選択できない。したがって、換気用熱交換器において、温水の不必要な熱損失を防止することができない。
【０００７】
また、上記二次側熱交換端末に温水を供給しなければ、上記換気用熱交換器に温水を供給できず、上記換気装置の凍結を防止するために、二次側熱交換端末を必ず運転しなければならない。したがって、二次側熱交換端末において、温水の不必要な熱損失を防止することができない。
【０００８】
また、上記換気用熱交換器には、上記二次側熱交換端末を通過して低温となった温水が供給され、換気用熱交換器では吸入外気を低温の温水で加熱することになる。したがって、換気装置の凍結を確実に防止することができない。
【０００９】
そこで、この発明の課題は、温水の不必要な熱損失を防止すると共に、換気装置の凍結を確実に防止することができる温調システムを提供することにある。
【課題を解決するための手段】
【００１０】
上記課題を解決するため、この発明の温調システムは、
熱媒と循環液とを熱交換するための液熱交換器と、
この液熱交換器に接続された二次側熱交換端末と、
吸入外気と排出室内空気との間で熱交換を行うことが可能であり、または、吸入外気から水分を取り除いて除湿運転を行うか排出室内空気から取り除いた水分を吸入外気に取り込んで加湿運転を行うことが可能である換気装置と、
この換気装置の凍結を防止することが可能な換気用熱交換器と
を備え、
上記二次側熱交換端末と上記換気用熱交換器とは、上記液熱交換器に並列に接続されており、
上記換気用熱交換器は、上記換気装置よりも吸入外気の上流側に、配置されていることを特徴としている。
【００１１】
この発明の温調システムによれば、上記二次側熱交換端末と上記換気用熱交換器とは、上記液熱交換器に並列に接続されている。以下、循環液として、例えば、水とする。
【００１２】
これにより、上記二次側熱交換端末に温水を供給しながら、上記換気用熱交換器へ温水を供給するか否かを選択できて、上記換気装置の凍結防止の運転のオンとオフを選択できる。したがって、換気用熱交換器において、温水の不必要な熱損失を防止することができる。
【００１３】
また、上記二次側熱交換端末に温水を供給しなくても、上記換気用熱交換器に温水を供給できて、二次側熱交換端末を運転しなくても、上記換気装置の凍結を防止できる。したがって、二次側熱交換端末において、温水の不必要な熱損失を防止することができる。
【００１４】
また、上記液熱交換器で熱媒と熱交換された温水を、上記換気用熱交換器に直接に供給できて、上記換気装置の凍結を防止するために、高い温度の温水を使用できる。したがって、換気装置の凍結を確実に防止することができる。
【００１５】
また、一実施形態の温調システムでは、上記換気装置の換気ファンが運転され、かつ、上記換気用熱交換器に供給される前の吸入外気の温度が、予め定められた設定値以下のときに、上記換気用熱交換器に循環液を供給するように制御する凍結防止制御部を備える。
【００１６】
この実施形態の温調システムによれば、上記凍結防止制御部は、上記換気装置の換気ファンが運転され、かつ、上記換気用熱交換器に供給される前の吸入外気の温度が、予め定められた設定値以下のときに、上記換気用熱交換器に温水を供給するように制御する。これにより、換気装置が凍結する可能性がある場合に、換気用熱交換器に温水を供給できて、省エネに優れたものとなる。
【００１７】
また、一実施形態の温調システムでは、上記換気用熱交換器に供給される前の吸入外気の温度に応じて、上記換気用熱交換器に供給される循環液の温度を変更する第１の液温変更部を備える。
【００１８】
この実施形態の温調システムによれば、上記第１の液温変更部は、上記換気用熱交換器に供給される前の吸入外気の温度に応じて、上記換気用熱交換器に供給される水の温度を変更する。これにより、換気装置に供給される吸入外気の温度が、換気装置が凍結しない温度になるように、換気用熱交換器に供給される水の温度を変更できて、水温を上げすぎず、省エネに優れたものとなる。
【００１９】
また、一実施形態の温調システムでは、上記換気用熱交換器で循環液と熱交換された後で、上記換気装置で排出室内空気と熱交換される前の吸入外気の温度に応じて、上記換気用熱交換器に供給される循環液の温度を変更する第２の液温変更部を備える。
【００２０】
この実施形態の温調システムによれば、上記第２の液温変更部は、上記換気用熱交換器で水と熱交換された後で、上記換気装置で排出室内空気と熱交換される前の吸入外気の温度に応じて、上記換気用熱交換器に供給される水の温度を変更する。これにより、換気装置に供給される吸入外気の温度が、換気装置が凍結しない温度になるように、換気用熱交換器に供給される水の温度を正確に制御できて、水温を上げすぎず、省エネに一層優れたものとなる。
【００２１】
また、一実施形態の温調システムでは、
上記換気装置は、
吸入外気と排出室内空気との間で熱交換を行わない通常換気モードと、
吸入外気と排出室内空気との間で熱交換を行う熱交換換気モードと
を有し、
上記換気装置が上記通常換気モードであるとき、上記換気用熱交換器に循環液を供給しない一方、上記換気装置が上記熱交換換気モードであるとき、上記換気用熱交換器に循環液を供給するように制御する液供給切換部を備える。
【００２２】
この実施形態の温調システムによれば、上記液供給切換部は、上記換気装置の上記通常換気モードでは、上記換気用熱交換器に水を供給しない一方、上記換気装置の上記熱交換換気モードでは、上記換気用熱交換器に水を供給するように制御する。これにより、換気装置が凍結する可能性がある熱交換換気モードのみで、換気用熱交換器に温水を供給できて、省エネに優れたものとなる。
【００２３】
また、一実施形態の温調システムでは、上記換気装置が凍結しないように、上記換気用熱交換器に供給される循環液を制御する凍結防止モードと、
上記換気装置から室内へ吹き出される空気の温度が、上記凍結防止モードで上記換気装置から室内へ吹き出される空気の温度よりも高くなるように、上記換気用熱交換器に供給される循環液を制御する暖房モードと
を選択できるモード選択部を備える。
【００２４】
この実施形態の温調システムによれば、上記モード選択部は、上記換気装置が凍結しないように上記換気用熱交換器に供給される水を制御する凍結防止モードと、上記換気装置から室内へ吹き出される空気の温度が、上記凍結防止モードで上記換気装置から室内へ吹き出される空気の温度よりも高くなるように、上記換気用熱交換器に供給される水を制御する暖房モードとを選択できる。これにより、ユーザは、モード選択部によって、換気装置の凍結防止の運転と、補助暖房の運転とを、選択できる。
【００２５】
また、一実施形態の温調システムでは、
上記暖房モードにおける、上記換気用熱交換器に供給される前の吸入外気の温度を判定するための第１の判定値を、上記凍結防止モードにおける、上記換気用熱交換器に供給される前の吸入外気の温度を判定するための第２の判定値よりも、大きく設定する外気温判定値設定部と、
上記暖房モードにおいて、上記換気用熱交換器に供給される前の吸入外気の温度が、上記第１の判定値以下のとき、または、上記凍結防止モードにおいて、上記換気用熱交換器に供給される前の吸入外気の温度が、上記第２の判定値以下のときに、上記換気用熱交換器に循環液を供給するように制御するモード別液供給制御部と
を備える。
【００２６】
この実施形態の温調システムによれば、上記外気温判定値設定部は、上記暖房モードにおける、上記換気用熱交換器に供給される前の吸入外気の温度を判定するための第１の判定値を、上記凍結防止モードにおける、上記換気用熱交換器に供給される前の吸入外気の温度を判定するための第２の判定値よりも、大きく設定している。上記モード別液供給制御部は、上記暖房モードにおいて、上記換気用熱交換器に供給される前の吸入外気の温度が、上記第１の判定値以下のとき、または、上記凍結防止モードにおいて、上記換気用熱交換器に供給される前の吸入外気の温度が、上記第２の判定値以下のときに、上記換気用熱交換器に水を供給するように制御する。
【００２７】
これにより、上記暖房モードでの換気装置から室内へ吹き出す空気の温度を、上記凍結防止モードでの換気装置から室内へ吹き出す空気の温度よりも、高くできて、ユーザが暖房モードを選択したとき、ユーザが冷たい風にあたる可能性をなくして、快適性を向上できる。
【００２８】
また、一実施形態の温調システムでは、
上記暖房モードでの上記換気用熱交換器に供給される循環液の第１の温度を、上記凍結防止モードでの上記換気用熱交換器に供給される循環液の第２の温度よりも、大きく設定する液温設定部と、
上記暖房モードにおいて、上記換気用熱交換器に、上記第１の温度の循環液を供給し、または、上記凍結防止モードにおいて、上記換気用熱交換器に、上記第２の温度の循環液を供給するように制御するモード別液供給制御部と
を備える。
【００２９】
この実施形態の温調システムによれば、上記液温設定部は、上記暖房モードでの上記換気用熱交換器に供給される水の第１の温度を、上記凍結防止モードでの上記換気用熱交換器に供給される水の第２の温度よりも、大きく設定している。上記モード別液供給制御部は、上記暖房モードにおいて、上記換気用熱交換器に、上記第１の温度の水を供給し、または、上記凍結防止モードにおいて、上記換気用熱交換器に、上記第２の温度の水を供給するように制御する。
【００３０】
これにより、上記暖房モードでの換気装置から室内へ吹き出す空気の温度を、上記凍結防止モードでの換気装置から室内へ吹き出す空気の温度よりも、高くできて、ユーザが暖房モードを選択したとき、ユーザが冷たい風にあたる可能性をなくして、快適性を向上できる。
【００３１】
また、一実施形態の温調システムでは、
熱媒と循環液とを熱交換するための液熱交換器と、
この液熱交換器に直接的にまたは間接的に接続された二次側熱交換端末と、
吸入外気と排出室内空気との間で熱交換を行うことが可能であり、または、吸入外気から水分を取り除いて除湿運転を行うか排出室内空気から取り除いた水分を吸入外気に取り込んで加湿運転を行うことが可能である換気装置と、
上記液熱交換器に直接的にまたは間接的に接続されると共に、上記換気装置の凍結を防止することが可能な換気用熱交換器と、
上記換気装置が凍結しないように、上記換気用熱交換器に供給される循環液を制御する凍結防止モードと、上記換気装置から室内へ吹き出される空気の温度が、上記凍結防止モードで上記換気装置から室内へ吹き出される空気の温度よりも高くなるように、上記換気用熱交換器に供給される循環液を制御する暖房モードとを、選択できるモード選択部と
を備え、
上記換気用熱交換器は、上記換気装置よりも吸入外気の上流側に、配置されている。
【００３２】
この実施形態の温調システムによれば、上記モード選択部は、上記換気装置が凍結しないように上記換気用熱交換器に供給される水を制御する凍結防止モードと、上記換気装置から室内へ吹き出される空気の温度が、上記凍結防止モードで上記換気装置から室内へ吹き出される空気の温度よりも高くなるように、上記換気用熱交換器に供給される水を制御する暖房モードとを選択できる。これにより、ユーザは、モード選択部によって、換気装置の凍結防止の運転と、補助暖房の運転とを、選択できる。
【００３３】
また、一実施形態の温調システムでは、
熱媒と循環液とを熱交換するための液熱交換器と、
この液熱交換器に直接的にまたは間接的に接続された二次側熱交換端末と、
吸入外気と排出室内空気との間で熱交換を行うことが可能であり、または、吸入外気から水分を取り除いて除湿運転を行うか排出室内空気から取り除いた水分を吸入外気に取り込んで加湿運転を行うことが可能である換気装置と、
上記液熱交換器に直接的にまたは間接的に接続されると共に、上記換気装置の凍結を防止することが可能な換気用熱交換器と、
上記換気装置が凍結しないように、上記換気用熱交換器に供給される循環液を制御する凍結防止モードと、上記換気装置から室内へ吹き出される空気の温度が、上記凍結防止モードで上記換気装置から室内へ吹き出される空気の温度よりも高くなるように、上記換気用熱交換器に供給される循環液を制御する暖房モードとを、選択できるモード選択部と
を備え、
上記換気用熱交換器は、上記換気装置よりも吸入外気の上流側に、配置されている。
【００３４】
この実施形態の温調システムによれば、上記モード選択部は、上記換気装置が凍結しないように上記換気用熱交換器に供給される水を制御する凍結防止モードと、上記換気装置から室内へ吹き出される空気の温度が、上記凍結防止モードで上記換気装置から室内へ吹き出される空気の温度よりも高くなるように、上記換気用熱交換器に供給される水を制御する暖房モードとを選択できる。これにより、ユーザは、モード選択部によって、換気装置の凍結防止の運転と、補助暖房の運転とを、選択できる。なお、上記二次側熱交換端末と上記換気用熱交換器とは、上記液熱交換器に並列に接続されていてもよい。もしくは、上記換気用熱交換器は、上記二次側熱交換端末の下流側または上流側に、接続されていてもよい。
【発明の効果】
【００３５】
この発明の温調システムによれば、上記二次側熱交換端末と上記換気用熱交換器とは、上記液熱交換器に並列に接続されているので、温水の不必要な熱損失を防止すると共に、換気装置の凍結を確実に防止することができる。
【図面の簡単な説明】
【００３６】
【図１】本発明の第１実施形態の温調システムを示す簡略構成図である。
【図２】温調システムの動作を説明するフロー図である。
【図３Ａ】本発明の第３実施形態の温調システムを示すとともに、換気装置が通常換気モードである状態を示す説明図である。
【図３Ｂ】本発明の第３実施形態の温調システムを示すとともに、換気装置が熱交換換気モードである状態を示す説明図である。
【図４】本発明の第４実施形態の温調システムを示すとともに、制御装置の簡略構成図である。
【図５】本発明の第５実施形態の温調システムを示すとともに、制御装置の簡略構成図である。
【図６】本発明の第６実施形態の温調システムを示す簡略構成図である。
【図７Ａ】本発明の第７実施形態の温調システムの除湿運転を示す説明図である。
【図７Ｂ】本発明の第７実施形態の温調システムの除湿運転を示す説明図である。
【図８Ａ】本発明の第７実施形態の温調システムの加湿運転を示す説明図である。
【図８Ｂ】本発明の第７実施形態の温調システムの加湿運転を示す説明図である。
【図９】本発明の第８実施形態の温調システムを示すとともに、制御装置の簡略構成図である。
【発明を実施するための形態】
【００３７】
以下、この発明を図示の実施の形態により詳細に説明する。
【００３８】
（第１の実施形態）
図１は、この発明の実施の一形態の温調システムの構成図を示している。図１に示すように、この温調システムは、室外ユニット１００と、この室外ユニット１００に接続される温水ユニット２００と、この温水ユニット２００に接続される第１、第２の床暖房パネル３１，３２と、この温水ユニット２００に接続される換気ユニット４０と、上記各ユニット１００，２００，４０等を制御する制御装置５０とを備える。第１、第２の床暖房パネル３１，３２は、二次側熱交換端末の一例である。
【００３９】
上記室外ユニット１００は、圧縮機１と四路弁２と室外熱交換器３と膨張弁５とを有する。室外熱交換器３には、室外ファン４が設けられている。膨張弁５は、膨張機構の一例である。
【００４０】
上記圧縮機１の吐出側には、四路弁２の第１ポートＰ１が接続されている。四路弁２の第２ポートＰ２には、室外熱交換器３の一端が接続されている。室外熱交換器３の他端には、膨張弁５の一端が接続されている。膨張弁５の他端には、第１開閉弁６が接続されている。
【００４１】
上記圧縮機１の吸入側には、アキュムレータ８の一端が接続されている。アキュムレータ８の他端は、四路弁２の第３ポートＰ３に接続されている。四路弁２の第４ポートＰ４には、第２開閉弁７が接続されている。
【００４２】
上記温水ユニット２００は、水熱交換器２１と膨張タンク２２とポンプ２３と往きヘッダ２４と戻りヘッダ２５とを有する。水熱交換器２１は、液熱交換器の一例である。
【００４３】
上記水熱交換器２１は、例えば、二重管式水熱交換器であり、水熱交換器２１の一次側の往き口には、上記室外ユニット１００の上記第１開閉弁６が接続され、水熱交換器２１の一次側の戻り口には、上記室外ユニット１００の上記第２開閉弁７が接続されている。
【００４４】
上記水熱交換器２１の二次側往き口には、膨張タンク２２を介して、上記ポンプ２３の吸入口が接続されている。上記ポンプ２３の吐出口には、往きヘッダ２４が接続されている。この往きヘッダ２４には、第１、第２、第３の熱動弁２６１，２６２，２６３が並列に接続されている。
【００４５】
上記第１の床暖パネル３１の水入口は、上記第１の熱動弁２６１に接続されており、上記第１の床暖パネル３１の水出口は、戻りヘッダ２５に接続されている。上記第２の床暖パネル３２の水入口は、上記第２の熱動弁２６２に接続されており、上記第２の床暖パネル３２の水出口は、戻りヘッダ２５に接続されている。
【００４６】
上記換気ユニット４０は、換気装置４１と換気用熱交換器４２とを有する。
【００４７】
上記換気装置４１は、換気本体部４１１と換気ファン４１２とを有する。上記換気本体部４１１は、室内の空気を排出する排気路４１１ａと、室外の空気を吸入する吸気路４１１ｂとを有する。排気路４１１ａを流れる排出室内空気と、吸気路４１１ｂを流れる吸入外気との間で、熱交換が行われる。
【００４８】
上記換気用熱交換器４２は、上記換気装置４１よりも吸入外気の上流側に、配置されている。上記換気ファン４１２の運転により、外気は、換気用熱交換器４２と換気本体部４１１とを順に通過して、室内に吸入される一方、室内空気は、換気本体部４１１を通過して、室外に排出される。
【００４９】
上記換気用熱交換器４２の吸入外気の上流側に、第１の温度センサ６２が設けられている。この第１の温度センサ６２は、換気用熱交換器４２に供給される前の吸入外気の温度を検出する。
【００５０】
上記換気用熱交換器４２の水入口は、上記第３の熱動弁２６３に接続され、換気用熱交換器４２の水出口は、上記戻りヘッダ２５に接続されている。つまり、上記第１、上記第２の床暖房パネル３１，３２と上記換気用熱交換器４２とは、上記水熱交換器２１に並列に接続されている。
【００５１】
上記圧縮機１と、上記四路弁２と、上記室外熱交換器３と、上記膨張弁５と、上記水熱交換器２１とは、環状に接続されて、熱媒回路（ヒートポンプ）を構成している。圧縮機１の運転により、この熱媒回路内を、熱媒が循環する。熱媒としては、例えば、冷媒である。室外熱交換器３は、室外ファン４からの空気と熱媒との間で、熱交換を行う。
【００５２】
上水熱交換器２１と、上記ポンプ２３と、上記第１、上記第２の床暖房パネル３１，３２および上記換気用熱交換器４２とは、環状に接続されて、水回路を構成している。ポンプ２３の運転により、この水回路内を、水が循環する。つまり、ポンプ２３は、第１、第２の床暖房パネル３１，３２および換気用熱交換器４２に、水を供給する。
【００５３】
上記水熱交換器２１は、熱媒と水との間で、熱交換を行う。例えば、水熱交換器２１は、水を熱媒で加熱して、温水を生成する。上記換気用熱交換器４２は、水と吸入外気との間で、熱交換を行う。例えば、換気用熱交換器４２は、吸入外気を温水で加熱し、上記換気装置４１の凍結を防止する。
【００５４】
上記制御装置５０は、凍結防止制御部５１と第１の水温変更部５２とを有する。第１の水温変更部５２は、第１の液温変更部の一例である。
【００５５】
上記凍結防止制御部５１は、上記換気ファン４１２が運転され、かつ、上記換気用熱交換器４２に供給される前の吸入外気の温度が、予め定められた設定値以下のときに、換気用熱交換器４２に温水を供給するように制御する。上記設定値は、換気装置４１の凍結を防止できる温度とし、例えば、−１５℃である。
【００５６】
上記第１の水温変更部５２は、上記換気用熱交換器４２に供給される前の吸入外気の温度に応じて、換気用熱交換器４２に供給される水の温度を変更する。具体的に述べると、第１の水温変更部５２は、吸入外気の温度が低くなるにつれて、水温を高くする。
【００５７】
次に、上記温調システムの動作について説明する。
【００５８】
上記第１の床暖房パネル３１で床暖房運転を行う場合、ユーザが図示しない運転スイッチをオンすることで、制御装置５０の制御により、第１の熱動弁２６１を開き、ポンプ２３を運転して、水回路の水を循環する。圧縮機１から吐出した高温高圧の熱媒は、実線の矢印に示すように流れて、水熱交換器２１で二次側を流れる水と熱交換される。これにより、温水ユニット２００の水は、加熱され、室外ユニット１００の熱媒は、凝縮する。水熱交換器２１の一次側からの熱媒は、膨張弁５で減圧された後、室外熱交換器３で外気との熱交換により蒸発し、圧縮機１の吸入側に戻る。同様に、上記第２の床暖房パネル３２で床暖房運転を行う場合、ユーザが図示しない運転スイッチをオンする。
【００５９】
一方、上記換気用熱交換器４２の凍結防止運転は、上記凍結防止制御部５１の制御により、行われる。つまり、図２に示すように、換気ファン４１２が運転され（ステップＳ１）、上記第１の温度センサ６２によって測定された換気用熱交換器４２の上流の吸入外気の温度が、上記設定値（−１５℃）以下であると（ステップＳ２）、凍結防止制御部５１は、換気用熱交換器４２に温水を供給するように制御する（ステップＳ３）。具体的に述べると、凍結防止制御部５１は、第３の熱動弁２６３を開けて、換気用熱交換器４２に温水を供給する。
【００６０】
これにより、−１５℃の吸入外気は、上記換気用熱交換器４２によって温められて、０℃となり、その後、上記換気本体部４１１で、この０℃の吸入外気と１８℃の排出室内空気とが熱交換を行う。そして、室内には、１３℃の外気が吸入され、室外には、５℃の室内空気が排出される。このように、換気本体部４１１から排出される室内空気は、５℃であるため、換気装置４１で吸入外気と排出室内空気との熱交換の際に生じる凍結を防止することができる。
【００６１】
このとき、上記換気用熱交換器４２に供給される水の温度は、上記換気用熱交換器４２に吸入される吸入外気の温度に応じて、上記第１の水温変更部５２によって、変更される。つまり、第１の水温変更部５２は、吸入外気の温度が低くなると、第３の熱動弁２６３の開度等が大きくなるように制御して、水の温度を高くする。
【００６２】
なお、上記換気用熱交換器４２に要求される水温が、第１、第２の床暖房パネル３１，３２に要求される水温よりも高い場合、上記第１の水温変更部５２は、上記圧縮機１の図示しないインバータを制御して、熱媒の温度を高くして、換気用熱交換器４２の水温を高くするようにしてもよい。
【００６３】
なお、上記室外ユニット１００の上記四路弁２を切り換えて、熱媒が、上記熱媒回路内を、矢印に示す暖房流れとは、反対向きに流れるようにして、上記水熱交換器２１において、上記水回路内の水を、冷却するようにしてもよい。
【００６４】
上記構成の温調システムによれば、上記第１、上記第２の床暖房パネル３１，３２と上記換気用熱交換器４２とは、上記水熱交換器２１に並列に接続されている。
【００６５】
これにより、上記第１、上記第２の床暖房パネル３１，３２に温水を供給しながら、上記換気用熱交換器４２へ温水を供給するか否かを選択できて、上記換気装置４１の凍結防止の運転のオンとオフを選択できる。したがって、上記換気用熱交換器４２において、温水の不必要な熱損失を防止できる。
【００６６】
また、上記第１、上記第２の床暖房パネル３１，３２に温水を供給しなくても、上記換気用熱交換器４２に温水を供給できて、第１、第２の床暖房パネル３１，３２を運転しなくても、上記換気装置４１の凍結を防止できる。したがって、第１、第２の床暖房パネル３１，３２において、温水の不必要な熱損失を防止できる。
【００６７】
また、上記水熱交換器２１で熱媒と熱交換された温水を、上記換気用熱交換器４２に直接に供給できて、上記換気装置４１の凍結を防止するために、高い温度の温水を使用できる。したがって、換気装置４１の凍結を確実に防止することができる。
【００６８】
上記構成の温調システムによれば、上記凍結防止制御部５１は、上記換気装置４１の換気ファンが運転され、かつ、上記換気用熱交換器４２に供給される前の吸入外気の温度が、予め定められた設定値以下のときに、上記換気用熱交換器４２に温水を供給するように制御する。これにより、換気装置４１が凍結する可能性がある場合に、換気用熱交換器４２に温水を供給できて、省エネに優れたものとなる。
【００６９】
上記構成の温調システムによれば、上記第１の水温変更部５２は、上記換気用熱交換器４２に供給される前の吸入外気の温度に応じて、上記換気用熱交換器４２に供給される水の温度を変更する。これにより、換気装置４１に供給される吸入外気の温度が、換気装置４１が凍結しない温度になるように、換気用熱交換器４２に供給される水の温度を変更できて、水温を上げすぎず、省エネに優れたものとなる。
【００７０】
（第２の実施形態）
図１の仮想線は、この発明の第２実施形態の温調システムを示す。この第２の実施形態では、換気ユニット４０に、第２の温度センサ６３が設けられ、制御装置５０に、第２の水温変更部５３が設けられる。第２の水温変更部５３は、第２の液温変更部の一例である。その他の構造は、上記第１の実施形態と同じであるため、その説明を省略する。
【００７１】
図１の仮想線に示すように、上記第２の温度センサ６３は、上記第１の温度センサ６２（上記第１実施形態）の代わりに設けられ、上記換気用熱交換器４２と上記換気装置４１との間の吸入外気の流路に、配置されている。第２の温度センサ６３は、換気用熱交換器４２で水と熱交換された後で、換気装置４１で排出室内空気と熱交換される前の吸入外気の温度を検出する。
【００７２】
上記第２の水温変更部５３は、上記第１の水温変更部５２（上記第１実施形態）の代わりに設けられ、上記第２の温度センサ６３によって検出された吸入外気の温度に応じて、上記換気用熱交換器４２に供給される水の温度を変更する。つまり、第２の水温変更部５３は、第１の水温変更部５２と同様に、吸入外気の温度が低くなると、上記第３の熱動弁２６３や上記圧縮機１のインバータを制御して、換気用熱交換器４２の水温を高くする。
【００７３】
したがって、上記第２の水温変更部５３によって、上記換気装置４１に供給される吸入外気の温度が、換気装置４１が凍結しない温度になるように、換気用熱交換器４２に供給される水の温度を正確に制御できて、水温を上げすぎず、省エネに一層優れたものとなる。
【００７４】
なお、上記第２の温度センサ６３を、上記第１の温度センサ６２とともに設け、上記第２の水温変更部５３を、上記第１の水温変更部５２とともに設けるようにしてもよい。
【００７５】
（第３の実施形態）
図３Ａと図３Ｂは、この発明の第３実施形態の温調システムを示す。この第３の実施形態は、上記第１の実施形態とは、換気装置の構成が相違する。この相違する構成を以下に説明する。
【００７６】
図３Ａに示すように、換気装置４１Ａの換気本体部４１１Ａは、通常換気モードＭ１と熱交換換気モードＭ２とを有する。通常換気モードＭ１は、吸入外気と排出室内空気との間で熱交換を行わない。熱交換換気モードＭ２は、吸入外気と排出室内空気との間で熱交換を行う。このモードＭ１，Ｍ２の切換は、例えばダンパーの切換によって、行われる。
【００７７】
さらに、この換気装置４１ＡのモードＭ１，Ｍ２に応じて、上記換気用熱交換器４２（図１参照）への水の供給を制御する水供給切換部５４を設けている。水供給切換部５４は、液供給切換部の一例である。水供給切換部５４は、図３Ａに示すように、換気装置４１Ａが通常換気モードＭ１であるとき、換気用熱交換器４２に水を供給しないように制御する。一方、水供給切換部５４は、図３Ｂに示すように、換気装置４１Ａが熱交換換気モードＭ２であるとき、換気用熱交換器４２に水を供給するように制御する。
【００７８】
具体的に述べると、上記水供給切換部５４は、上記第３の熱動弁２６３（図１参照）の開閉を切り換えたり、上記ポンプ２３（図１参照）のオンオフを切り換えることで、換気用熱交換器４２への水の供給を制御する。
【００７９】
したがって、上記水供給切換部５４によって、上記換気装置４１Ａが凍結する可能性がある熱交換換気モードＭ２のみで、上記換気用熱交換器４２に温水を供給できて、省エネに優れたものとなる。
【００８０】
（第４の実施形態）
図４は、この発明の第４実施形態の温調システムを示す。この第４の実施形態は、上記第１の実施形態とは、制御装置の構成のみが相違する。この相違する構成のみを以下に説明する。
【００８１】
図４に示すように、制御装置５０Ａは、モード選択部５５と外気温判定値設定部５６とモード別水供給制御部５７とを有する。モード別水供給制御部５７は、モード別液供給制御部の一例である。なお、図示しないが、上記制御装置５０Ａは、上記第１実施形態の上記第１の水温変更部５２を有するようにしてもよい。
【００８２】
上記モード選択部５５は、凍結防止モードと暖房モードとを選択できる。上記凍結防止モードでは、上記換気装置４１（図１参照）が凍結しないように上記換気用熱交換器４２（図１参照）に供給される水を制御する。上記暖房モードでは、上記換気装置４１から室内へ吹き出される空気の温度が、上記凍結防止モードで上記換気装置４１から室内へ吹き出される空気の温度よりも高くなるように、上記換気用熱交換器４２に供給される水を制御する。
【００８３】
上記外気温判定値設定部５６は、上記暖房モードにおける、上記換気用熱交換器４２に供給される前の吸入外気の温度を判定するための第１の判定値を、上記凍結防止モードにおける、上記換気用熱交換器４２に供給される前の吸入外気の温度を判定するための第２の判定値よりも、大きく設定する。例えば、上記第１の判定値は、０℃であり、上記第２の判定値は、−１５℃である。
【００８４】
上記モード別水供給制御部５７は、上記暖房モードにおいて、上記換気用熱交換器４２に供給される前の吸入外気の温度が、上記第１の判定値以下のとき、または、上記凍結防止モードにおいて、上記換気用熱交換器４２に供給される前の吸入外気の温度が、上記第２の判定値以下のときに、上記換気用熱交換器４２に水を供給するように制御する。具体的に述べると、モード別水供給制御部５７は、上記第３の熱動弁２６３（図１参照）を開けて、換気用熱交換器４２に温水を供給する。なお、モード別水供給制御部５７は、上記凍結防止制御部５１（図１参照）と同様に、上記換気ファン４１２が運転されたときの要件を追加するようにしてもよい。
【００８５】
したがって、ユーザは、上記モード選択部５５によって、換気装置４１の凍結防止の運転と、補助暖房の運転とを、選択できる。また、上記暖房モードでの換気装置４１から室内へ吹き出す空気の温度を、上記凍結防止モードでの換気装置４１から室内へ吹き出す空気の温度よりも、高くできて、ユーザが暖房モードを選択したとき、ユーザが冷たい風にあたる可能性をなくして、快適性を向上できる。
【００８６】
（第５の実施形態）
図５は、この発明の第５実施形態の温調システムを示す。この第５の実施形態は、上記第１の実施形態とは、制御装置の構成のみが相違する。この相違する構成のみを以下に説明する。
【００８７】
図５に示すように、制御装置５０Ｂは、モード選択部５５と水温設定部５８とモード別水供給制御部５９とを有する。水温設定部５８は、液温設定部の一例である。モード別水供給制御部５９は、モード別液供給制御部の一例である。なお、図示しないが、上記制御装置５０Ｂは、上記第１実施形態の上記第１の水温変更部５２を有するようにしてもよい。
【００８８】
上記モード選択部５５は、凍結防止モードと暖房モードとを選択できる。上記凍結防止モードでは、上記換気装置４１（図１参照）が凍結しないように上記換気用熱交換器４２（図１参照）に供給される水を制御する。上記暖房モードでは、上記換気装置４１から室内へ吹き出される空気の温度が、上記凍結防止モードで上記換気装置４１から室内へ吹き出される空気の温度よりも高くなるように、上記換気用熱交換器４２に供給される水を制御する。
【００８９】
上記水温設定部５８は、上記暖房モードでの上記換気用熱交換器４２に供給される水の第１の温度を、上記凍結防止モードでの上記換気用熱交換器４２に供給される水の第２の温度よりも、大きく設定する。
【００９０】
上記モード別水供給制御部５９は、上記暖房モードにおいて、上記換気用熱交換器４２に、上記第１の温度の水を供給し、または、上記凍結防止モードにおいて、上記換気用熱交換器４２に、上記第２の温度の水を供給するように制御する。具体的に述べると、モード別水供給制御部５９は、上記第３の熱動弁２６３（図１参照）の開度等が大きくなるように制御して、水の温度を高くする。なお、モード別水供給制御部５９は、上記凍結防止制御部５１（図１参照）と同様に、上記換気ファン４１２が運転されたときの要件を追加するようにしてもよい。
【００９１】
したがって、ユーザは、上記モード選択部５５によって、換気装置４１の凍結防止の運転と、補助暖房の運転とを、選択できる。また、上記暖房モードでの換気装置４１から室内へ吹き出す空気の温度を、上記凍結防止モードでの換気装置４１から室内へ吹き出す空気の温度よりも、高くできて、ユーザが暖房モードを選択したとき、ユーザが冷たい風にあたる可能性をなくして、快適性を向上できる。
【００９２】
（第６の実施形態）
図６は、この発明の第６実施形態の温調システムを示す。この第６の実施形態は、上記第１の実施形態とは、室内ユニットが加えられた点のみが相違する。この相違する構成のみを以下に説明する。
【００９３】
図６に示すように、この温調システムは、室外ユニット１００と、この室外ユニット１００に接続される図示しない上記第１実施形態の温水ユニット２００（図１参照）と、この室外ユニット１００に接続される第１、第２の室内ユニット３０１，３０２とを備える。
【００９４】
上記室外ユニット１００と上記温水ユニット２００は、上記第１の実施形態で説明したので、その説明を省略する。もちろん、この温水ユニット２００には、第１、第２の床暖房パネル３１，３２（図１参照）と換気ユニット４０（図１参照）とが接続される。
【００９５】
上記第１、上記第２の室内ユニット３０１，３０２は、上記室外熱交換器３に、並列に接続されている。上記第１、上記第２の室内ユニット３０１，３０２は、それぞれ、室内熱交換器１０と室内ファン１１とを有する。
【００９６】
上記第１の室内ユニット３０１の上記室内熱交換器１０の一端には、第１開閉弁６Ａを介して、第１の室内用膨張弁５Ａが接続されている。この第１の室内用膨張弁５Ａは、上記室外熱交換器３に接続されている。上記室内熱交換器１０の他端には、第２開閉弁７Ａを介して、上記四路弁２が接続されている。
【００９７】
上記第２の室内ユニット３０２の上記室内熱交換器１０の一端には、第１開閉弁６Ｂを介して、第２の室内用膨張弁５Ｂが接続されている。この第２の室内用膨張弁５Ｂは、上記室外熱交換器３に接続されている。上記室内熱交換器１０の他端には、第２開閉弁７Ｂを介して、上記四路弁２が接続されている。
【００９８】
そして、上記第１の室内ユニット３０１で暖房運転を行う場合、ユーザが図示しない運転スイッチをオンすることで、第１、第２開閉弁６Ａ，７Ａを開いて、圧縮機１から吐出した高温高圧の熱媒を、実線の矢印に示すように、室内熱交換器１０に流す。同様に、上記第２の室内ユニット３０２で暖房運転を行う場合、第１、第２開閉弁６Ｂ，７Ｂを開いて、高温高圧の熱媒を室内熱交換器１０に流す。
【００９９】
なお、上記室外ユニット１００の上記四路弁２を切り換えて、熱媒が、上記熱媒回路内を、矢印に示す暖房流れとは、反対向きに流れるようにして、上記第１、上記第２の室内ユニット３０１，３０２で冷房運転を行うようにしてもよい。
【０１００】
上記構成の温調システムによれば、上記第１、上記第２の室内ユニット３０１，３０２と上記温水ユニット２００とは、上記室外ユニット１００に並列に接続される。これにより、上記第１、上記第２の室内ユニット３０１，３０２と、上記第１、第２の床暖房パネル３１，３２と、上記換気ユニット４０とを、それぞれ独立して運転することができる。
【０１０１】
（第７の実施形態）
図７Ａから図８Ｂは、この発明の第７実施形態の温調システムを示す。この第７の実施形態は、上記第１の実施形態とは、換気装置の構成が相違する。この相違する構成を以下に説明する。
【０１０２】
図７Ａに示すように、この換気装置４１Ｂは、（図７Ａ、７Ｂに示す）吸入外気から水分を取り除いて除湿運転を行う一方、（図８Ａ、８Ｂに示す）排出室内空気から取り除いた水分を吸入外気に取り込んで加湿運転を行う。
【０１０３】
上記換気装置４１Ｂは、ケーシング１４６と、このケーシング１４６内に配置されたヒートポンプユニット１４０と、上記ケーシング１４６内に配置されると共に上記ヒートポンプユニット１４０の上流側に位置するダンパー１４７とを有する。
【０１０４】
上記ヒートポンプユニット１４０は、圧縮機１４１と四路弁１４２と第１熱交換器１４３と膨張弁１４４と第２熱交換器１４５とを有する。圧縮機１４１と四路弁１４２と第１熱交換器１４３と膨張弁１４４と第２熱交換器１４５とは、環状に接続されて、熱媒回路（ヒートポンプ）を構成する。圧縮機１４１の運転により、この熱媒回路内を、熱媒が循環する。熱媒としては、例えば、冷媒である。
【０１０５】
上記第１熱交換器１４３および上記第２熱交換器１４５には、ゼオライトなどの吸湿材が設けられている。この吸湿材は、例えば、熱交換器１４３，１４５のフィンに塗布されている。この吸湿材は、冷却されることで、熱交換器１４３，１４５を通過する空気から水分を吸着し、一方、加熱されることで、熱交換器１４３，１４５を通過する空気に水分を放出する。
【０１０６】
上記ダンパー１４７は、室外の空気を、第１熱交換器１４３または第２熱交換器１４５の一方を通過させるように切り替えて、室内へ供給すると共に、室内の空気を、第１熱交換器１４３または第２熱交換器１４５の他方を通過させるように切り替えて、室外へ排出する。
【０１０７】
次に、上記換気装置４１Ｂの動作について説明する。
【０１０８】
上記換気装置４１Ｂで除湿運転を行う場合、図７Ａに示すように、上記ヒートポンプユニット１４０において、上記第１熱交換器１４３を凝縮器として作用させ、上記第２熱交換器１４５を蒸発器として作用させる。そして、上記ダンパー１４７において、室外の空気を、上記第２熱交換器１４５を通過させて、室内へ供給し、一方、室内の空気を、上記第１熱交換器１４３を通過させて、室外へ排出する。なお、図中、ＯＡとは、室外からの給気を示し、ＲＡとは、室内からの排気を示し、ＥＡとは、室外への排気を示し、ＳＡとは、室内への給気を示す。
【０１０９】
すると、室外の空気は、上記第２熱交換器１４５を通過する際に、冷却されつつ、室外の空気中の水分Ｗは、上記第２熱交換器１４５に吸着される。そして、除湿されかつ冷却された外気が、室内へ、供給される。
【０１１０】
続いて、図７Ｂに示すように、上記四路弁１４２を切り替えて、上記第１熱交換器１４３を蒸発器として作用させ、上記第２熱交換器１４５を凝縮器として作用させる。上記ダンパー１４７を切り替えて、室外の空気を、上記第１熱交換器１４３を通過させて、室内へ供給し、一方、室内の空気を、上記第２熱交換器１４５を通過させて、室外へ排出する。
【０１１１】
すると、室外の空気は、上記第１熱交換器１４３を通過する際に、冷却されつつ、室外の空気中の水分Ｗは、上記第２熱交換器１４５に吸着される。そして、除湿されかつ冷却された外気が、室内へ、供給される。一方、室内の空気は、上記第２熱交換器１４５を通過する際に、第２熱交換器１４５で暖められて放出された水分Ｗと共に、室外へ、排出される。
【０１１２】
続いて、図７Ａに示すように、上記四路弁１４２を切り替えて、上記第１熱交換器１４３を凝縮器として作用させ、上記第２熱交換器１４５を蒸発器として作用させる。上記ダンパー１４７を切り替えて、室外の空気を、上記第２熱交換器１４５を通過させて、室内へ供給し、一方、室内の空気を、上記第１熱交換器１４３を通過させて、室外へ排出する。
【０１１３】
すると、室外の空気は、上記第２熱交換器１４５を通過する際に、冷却されつつ、室外の空気中の水分Ｗは、上記第２熱交換器１４５に吸着される。そして、除湿されかつ冷却された外気が、室内へ、供給される。一方、室内の空気は、上記第１熱交換器１４３を通過する際に、第１熱交換器１４３で暖められて放出された水分Ｗと共に、室外へ、排出される。
【０１１４】
このようにして、図７Ａと図７Ｂを繰り返して、上記換気装置４１Ｂで除湿運転を行う。
【０１１５】
一方、上記換気装置４１Ｂで加湿運転を行う場合、図８Ａに示すように、上記ヒートポンプユニット１４０において、上記第１熱交換器１４３を凝縮器として作用させ、上記第２熱交換器１４５を蒸発器として作用させる。そして、上記ダンパー１４７において、室内の空気を、上記第２熱交換器１４５を通過させて、室外へ排出し、一方、室外の空気を、上記第１熱交換器１４３を通過させて、室内へ供給する。
【０１１６】
すると、室内の空気は、上記第２熱交換器１４５を通過する際に、冷却されつつ、室内の空気中の水分Ｗは、上記第２熱交換器１４５に吸着されて、室内空気は、室外へ、排出される。
【０１１７】
続いて、図８Ｂに示すように、上記四路弁１４２を切り替えて、上記第１熱交換器１４３を蒸発器として作用させ、上記第２熱交換器１４５を凝縮器として作用させる。上記ダンパー１４７を切り替えて、室外の空気を、上記第２熱交換器１４５を通過させて、室内へ供給し、一方、室内の空気を、上記第１熱交換器１４３を通過させて、室外へ排出する。
【０１１８】
すると、室外の空気は、上記第２熱交換器１４５を通過する際に、第２熱交換器１４５で暖められて放出された水分Ｗと共に、室内へ、供給される。つまり、加湿されかつ暖められた外気が、室内へ、供給される。一方、室内の空気は、上記第１熱交換器１４３を通過する際に、冷却されつつ、室内の空気中の水分Ｗは、上記第１熱交換器１４３に吸着されて、室内空気は、室外へ、排出される。
【０１１９】
続いて、図８Ａに示すように、上記四路弁１４２を切り替えて、上記第１熱交換器１４３を凝縮器として作用させ、上記第２熱交換器１４５を蒸発器として作用させる。上記ダンパー１４７を切り替えて、室外の空気を、上記第１熱交換器１４３を通過させて、室内へ供給し、一方、室内の空気を、上記第２熱交換器１４５を通過させて、室外へ排出する。
【０１２０】
すると、室外の空気は、上記第１熱交換器１４３を通過する際に、第１熱交換器１４３で暖められて放出された水分Ｗと共に、室内へ、供給される。つまり、加湿されかつ暖められた外気が、室内へ、供給される。一方、室内の空気は、上記第２熱交換器１４５を通過する際に、冷却されつつ、室内の空気中の水分Ｗは、上記第２熱交換器１４５に吸着されて、室内空気は、室外へ、排出される。
【０１２１】
以上のようにして、図８Ａと図８Ｂを繰り返して、上記換気装置４１Ｂで加湿運転を行う。
【０１２２】
上記構成の換気装置４１Ｂの吸入外気の上流側には、図１の換気用熱交換器４２が配置されている。これにより、例えば、図８Ａと図８Ｂに示す加湿運転を行う場合、吸入外気を、換気用熱交換器４２で加熱することができ、熱交換器１４３，１４５で吸入外気と熱媒と熱交換する際に生じる凍結を防止することができる。
【０１２３】
（第８の実施形態）
図９は、この発明の第８実施形態の温調システムを示す。この第８の実施形態は、上記第１の実施形態とは、制御装置の構成が相違する。この相違する構成を以下に説明する。
【０１２４】
図９に示すように、制御装置５０Ｃは、モード選択部５５を有する。なお、図示しないが、上記制御装置５０Ａは、上記第１実施形態の上記第１の水温変更部５２を有するようにしてもよい。
【０１２５】
上記モード選択部５５は、凍結防止モードと暖房モードとを選択できる。上記凍結防止モードでは、上記換気装置４１（図１参照）が凍結しないように上記換気用熱交換器４２（図１参照）に供給される水を制御する。上記暖房モードでは、上記換気装置４１から室内へ吹き出される空気の温度が、上記凍結防止モードで上記換気装置４１から室内へ吹き出される空気の温度よりも高くなるように、上記換気用熱交換器４２に供給される水を制御する。
【０１２６】
したがって、ユーザは、上記モード選択部５５によって、換気装置４１の凍結防止の運転と、補助暖房の運転とを、選択できる。
【０１２７】
なお、この第８実施形態では、図１に示されるように、上記第１、上記第２の床暖房パネル３１，３２と上記換気用熱交換器４２とは、上記水熱交換器２１に並列に接続されているが、換気用熱交換器４２は、第１、第２の床暖房パネル３１，３２の下流側または上流側に、接続されていてもよい。つまり、第１、上記第２の床暖房パネル３１，３２は、水熱交換器２１に直接的にまたは間接的に接続されてもよく、換気用熱交換器４２は、水熱交換器２１に直接的にまたは間接的に接続されてもよい。
【０１２８】
なお、この発明は上述の実施形態に限定されない。例えば、上記第１から上記第８の実施形態のそれぞれの特徴点を様々に組み合わせてもよい。
【０１２９】
また、上記実施形態では、上記二次側熱交換端末として、床暖房パネルを用いたが、床以外に壁等に設置する冷暖房装置であってもよい。また、上記実施形態では、上記膨張機構として、膨張弁を用いたが、キャピラリーチューブを用いてもよい。
【０１３０】
また、上記実施形態では、上記液熱交換器として、水熱交換器を用いたが、水以外にブラインなどの循環液と熱媒との間で熱交換する機器を用いてもよい。
【０１３１】
また、上記実施形態では、上記凍結防止制御部は、換気ファンの運転と吸入外気の温度とに基づいて、換気用熱交換器に温水を供給するように制御していたが、吸入外気の温度のみに基づいて温水を供給するようにしてもよく、または、ユーザの指示により温水を供給するようにしてもよい。また、上記実施形態では、上記第１の水温変更部を設けたが、これを省略してもよい。
【０１３２】
また、上記二次側熱交換端末、上記換気装置および上記換気用熱交換器の数量を増減してもよく、この場合、二次側熱交換端末と換気用熱交換器とは、水熱交換器に並列に接続され、換気用熱交換器は、換気装置よりも吸入外気の上流側に、配置されていればよい。
【０１３３】
また、上記実施形態では、上記室外ユニットのヒートポンプによって、上記水熱交換器の水を加熱したが、ヒートポンプ以外に、水熱交換器の水を加熱する機器であれば、燃焼機器やヒータなどの機器であってもよい。
【符号の説明】
【０１３４】
１  圧縮機
２  四路弁
３  室外熱交換器
４  室外ファン
５  膨張弁（膨張機構）
１０  室内熱交換器
１１  室内ファン
２１  水熱交換器（液熱交換器）
２３  ポンプ
３１  第１の床暖房パネル（二次側熱交換端末）
３２  第２の床暖房パネル（二次側熱交換端末）
４０  換気ユニット
４１，４１Ａ，４１Ｂ  換気装置
４１１，４１１Ａ  換気本体部
４１２  換気ファン
４２  換気用熱交換器
５０，５０Ａ，５０Ｂ，５０Ｃ  制御装置
５１  凍結防止制御部
５２  第１の水温変更部（第１の液温変更部）
５３  第２の水温変更部（第２の液温変更部）
５４  水供給切換部（液供給切換部）
５５  モード選択部
５６  外気温判定値設定部
５７  モード別水供給制御部（モード別液供給制御部）
５８  水温設定部（液温設定部）
５９  モード別水供給制御部（モード別液供給制御部）
６２  第１の温度センサ
６３  第２の温度センサ
１００  室外ユニット
１４０  ヒートポンプユニット
１４６  ケーシング
１４７  ダンパー
２００  温水ユニット
３０１  第１の室内ユニット
３０２  第２の室内ユニット
Ｍ１  通常換気モード
Ｍ２  熱交換換気モード
【図１】
2014119204.tif 000003
【図２】
2014119204.tif 000004
【図３Ａ】
2014119204.tif 000005
【図３Ｂ】
2014119204.tif 000006
【図４】
2014119204.tif 000007
【図５】
2014119204.tif 000008
【図６】
2014119204.tif 000009
【図７Ａ】
2014119204.tif 000010
【図７Ｂ】
2014119204.tif 000011
【図８Ａ】
2014119204.tif 000012
【図８Ｂ】
2014119204.tif 000013
【図９】
2014119204.tif 000014